(57)【要約】      （修正有）【課題】手で把持する胴周は二重に成って熱が伝わりにくく、開口部の一定巾は一重に成って飲料等を飲みやすく、且つ、内容物の温度が唇を接触することにより敏感に解る二重ガラス容器とその製造方法を提供する。【解決手段】上方に開口部２ａ．３ａを有した外側ガラス容器２に内側ガラス容器３を内装した二重ガラス容器１であって、外側ガラス容器２の開口部２ａから下方への一定巾の開口縁部２ｂを前記内側ガラス容器３の開口部３ａより突出させて、開口縁部２ｂの下端に内側ガラス容器３の開口部３ａの外周端を溶着して胴部１ａと底部１ｂとを二重としたもので、又、内側ガラス容器３の開口部３ａから下方への一定巾の開口縁部３ｂを外側ガラス容器２の開口部２ａより突出させて、開口縁部３ｂの下端に外側ガラス容器２の開口部２ａの内周端を溶着して胴部１ａと底部１ｂとを二重とした。【選択図】図１
2009137607.tif 000002
【特許請求の範囲】
【請求項１】
夫々上方に開口部を有した外側ガラス容器と内側ガラス容器とを備え、前記外側ガラス容器に前記内側ガラス容器を内装した二重ガラス容器であって、前記外側ガラス容器の開口部から下方への一定巾の開口縁部を前記内側ガラス容器の開口部より突出させて、前記開口縁部の下端に前記内側ガラス容器の開口部の外周端を溶着して胴部と底部とを二重としたことを特徴とする二重ガラス容器。
【請求項２】
夫々上方に開口部を有した外側ガラス容器と内側ガラス容器とを備える工程と、前記内側ガラス容器の中に留め具付きサポーターを挿通させ支えた状態で固定する工程と、前記外側ガラス容器と前記内側ガラス容器との間に隙間を有して内装する工程と、前記外側ガラス容器の開口部から一定巾の開口縁部を設けた下方辺を加熱する工程と、前記加熱する工程で加熱した部位を回転ローラー又は回転型を当接させて絞る工程と、該絞る工程により絞った前記外側ガラス容器の内側と前記内側ガラス容器の開口部の外周端を溶着する工程と、を含むことを特徴とする請求項１に記載の二重ガラス容器の製造方法。
【請求項３】
上方に開口部を有した外側ガラス容器と上方に開口部を形成する切断脆弱部を介して支え部を延設した内側ガラス容器とを備える工程と、前記内側ガラス容器の支え部をチャックにより支えた状態で固定する工程と、前記外側ガラス容器と前記内側ガラス容器との間に隙間を有して内装する工程と、前記外側ガラス容器の開口部から一定巾の開口縁部を設けた下方辺を加熱する工程と、前記加熱する工程で加熱した部位を回転ローラー又は回転型を当接させて絞る工程と、前記内側ガラス容器の切断脆弱部を切断して上方に開口部を形成する工程と、該絞る工程により絞った前記外側ガラス容器の内側と前記内側ガラス容器の開口部の外周端を溶着する工程と、を含むことを特徴とする請求項１に記載の二重ガラス容器の製造方法。
【請求項４】
夫々上方に開口部を有した外側ガラス容器と内側ガラス容器とを備え、前記外側ガラス容器に前記内側ガラス容器を内装した二重ガラス容器であって、前記内側ガラス容器の開口部から下方への一定巾の開口縁部を前記外側ガラス容器の開口部より突出させて、前記開口縁部の下端に前記外側ガラス容器の開口部の内周端を溶着して胴部と底部とを二重としたことを特徴とする二重ガラス容器。
【請求項５】
夫々上方に開口部を有した外側ガラス容器と内側ガラス容器とを備える工程と、前記内側ガラス容器の中に留め具付きサポーターを挿通させ支えた状態で固定する工程と、前記外側ガラス容器と前記内側ガラス容器との間に隙間を有して内装する工程と、前記内側ガラス容器の開口部から一定巾の開口縁部を設けた下方辺に前記外側ガラス容器の開口部を位置させて加熱する工程と、前記加熱する工程で加熱した部位を回転ローラー又は回転型を当接させて絞る工程と、該絞る工程により絞った前記外側ガラス容器の開口部の内周端と前記内側ガラス容器の外側を溶着する工程と、を含むことを特徴とする請求項３に記載の二重ガラス容器の製造方法。
【発明の詳細な説明】
【技術分野】
【０００１】
本発明は、二重ガラス容器とその製造方法に関するものであり、更に詳細には、手で把持する胴周は二重に成っており熱が伝わりにくく、開口部の一定巾は一重に成っており薄くて飲料等を飲みやすく、且つ、内容物の温度が唇を接触することにより敏感に解る二重ガラス容器とその製造方法に関するものである。
【背景技術】
【０００２】
従来、この種の二重容器は各種開発されて使用されているが、その殆どは合成樹脂を用いているものであり、ガラス容器を二重にしたものは具現していない実情である。
【０００３】
例えば、外側胴部２１と内側胴部２２と底部２３と周縁部２４と把手２５とを有するマグカップ１０の本体２０を、透明な合成樹脂（例えばアクリル樹脂）によって一体成形する。外側胴部２１の内周面２１ａと内側胴部２２の外周面２２ｂとの間に、装飾用空間５０を形成し、この装飾用空間５０に下部の挿脱口５１を介してシート状の装飾物３０を収納して、装飾物３０の図柄が外側胴部２１を介して外部から見えるようにする。本体２０を一体成形とし、かつ挿脱口５１を下方に設けルことで、周縁部の肉厚Ａを、外側胴部２１の上端縁２１ｅの厚さと内側胴部２２の上端縁２２ｃの厚さとを加えた厚さ、つまり必要最小限に抑制して薄くすることができるもの（特許文献１参照）や、外筒と内筒を一定の空間部を備えるよう結合し本体部を構成して、前記空間部にセンサ部と、センサの反応にしたがい電源を供給する電池と、前記センサから信号を受ける制御部と、前記制御部から信号を受けて特定メロディー信号を送るメロディーチップと、前記メロディーチップからくる信号を受けて音を出すスピーカ振動板とを備えているもの（特許文献２参照）や、内層が水を盛る容器となっている内コップ１０と、内コップ１０にはめ込める球形に似た透明な外コップ２０とを有し、内、外コップ１０、２０間に液体を充填できる空間１１をもち、外コップ２０の下端に内、外コップ１０、２０と異なる色彩をもつ底座３０をつけてもよい。内コップ１０の表面には各種の色彩の鮮美な図案１０１や文字をプリントしてもよく、そして内、外コップ１０、２０の間の充填液体内に活動物体をいれてもよく、外コップ２０の周縁は凸レンズに似た形状になっていて、図案１０１および充填液体中の活動物体が、拡大の原理によって拡大変形された面白い変化図案になることができ、極めて立体的な突出した透視視覚効果を有している。また、透徹って輝く飾り模様３１の立体次元的効果を現し、実用と装飾の効果を高めることができるもの（特許文献３参照）等が開示されている。
【特許文献１】特開２００３−１９０６４号公報
【特許文献２】特開２００６−５５５７０号公報
【特許文献３】登録実用新案第３０４５１４７号公報
【発明の開示】
【発明が解決しようとする課題】
【０００４】
然し乍ら、特許文献１に記載のものは、透明樹脂を用いて開口部で折り返して二重に形成しているものであり、上方の開口部の厚さを必要最小限にすることができるとの記載はあるものの、開口部で折り返しているもので、その薄くする厚みには限度があり薄くは成らないものであり、更に、特許文献２に記載のものは、プラスチック材料により二重構造として、その間隔にメロディーチップ等を内装して音が鳴るようにしたものであるが、開口部は二重の分厚いものとなっあり、更には、特許文献３に記載のものは、透明な外コップ２０に内コップ１０を嵌め込み、内外コップ１０、２０の間に液体を充填できる空間１１を有しているもので、開口部は内コップ１０の内径と二重層容器の外周との厚さになり薄くは形成できないものであり、つまり、図１の（ａ）に図示するような分厚い開口部は内容物が飲用しにくく、又、分厚い開口部は熱伝導が低いため内容物が熱いのにも関わらず口に入れてしまうことが頻発している。また、ワインを入れるデキャンタやお酒を入れる徳利においては保温が有効であるが注ぎ口が分厚いため注ぐ際にこぼし易く利用されていない実情である。
【課題を解決するための手段】
【０００５】
前記課題に鑑み鋭意研鑚の結果、本発明の二重ガラス容器は、上方に開口部を有した外側ガラス容器と内側ガラス容器とを備え、外側ガラス容器に内側ガラス容器を内装した二重ガラス容器であって、外側ガラス容器の開口部から下方への一定巾の開口縁部を内側ガラス容器の開口部より突出させて、開口縁部の下端に内側ガラス容器の開口部の外周端を溶着して胴部と底部とを二重としたものであり、更に、その製造方法は、上方に開口部を有した外側ガラス容器と内側ガラス容器とを備える工程と、内側ガラス容器の中に留め具付きサポーターを挿通させ支えた状態で固定する工程と、外側ガラス容器と内側ガラス容器との間に隙間を有して内装する工程と、外側ガラス容器の開口部から一定巾の開口縁部を設けた下方辺を加熱する工程と、加熱する工程で加熱した部位を回転ローラー又は回転型を当接させて絞る工程と、絞る工程により絞った外側ガラス容器の内側と内側ガラス容器の開口部の外周端を溶着する工程と、を含み、更には、次の製造方法は、上方に開口部を有した外側ガラス容器と上方に開口部を形成する切断脆弱部を介して支え部を延設した内側ガラス容器とを備える工程と、内側ガラス容器の支え部をチャックにより支えた状態で固定する工程と、外側ガラス容器と内側ガラス容器との間に隙間を有して内装する工程と、外側ガラス容器の開口部から一定巾の開口縁部を設けた下方辺を加熱する工程と、加熱する工程で加熱した部位を回転ローラー又は回転型を当接させて絞る工程と、内側ガラス容器の切断脆弱部を切断して上方に開口部形成する工程と、絞る工程により絞った外側ガラス容器の内側と内側ガラス容器の開口部の外周端を溶着する工程と、を含むものである。
【０００６】
また、本発明の二重ガラス容器は、内側ガラス容器の開口部から下方への一定巾の開口縁部を外側ガラス容器の開口部より突出させて、開口縁部の下端に外側ガラス容器の開口部の内周端を溶着して胴部と底部とを二重としたものであり、更に、その製造方法は、内側ガラス容器の開口部から一定巾の開口縁部を設けた下方辺に外側ガラス容器の開口部を位置させて加熱する工程と、加熱する工程で加熱した部位を回転ローラー又は回転型を当接させて絞る工程と、絞る工程により絞った外側ガラス容器の開口部の内周端と内側ガラス容器の外側を溶着する工程と、を含むものである。
【発明の効果】
【０００７】
本発明の二重ガラス容器とその製造方法は、外側ガラス容器又は内側ガラス容器の開口部に一重とした一定巾の開口縁部を形成して、胴部と底部とを二重としたものであり、内容物を注ぐと胴部と底部とは空気層の断熱層が熱を通しにくく、容器を把持したときは熱が伝わりにくく安全で、且つ、熱いものはいつまでも熱く、冷たいものはいつまでも冷たいものであり、加えて、一重とした開口縁部を形成しているため飲みやすく、更には、内容物の温度も唇の感覚で容易に知ることができるもので、更に、二重ガラス容器に注ぎ口を付けることは従来から困難とされており、その発想すら無かったもので、極めて有効な効果を有した実用性の高い発明である。
【発明を実施するための最良の形態】
【０００８】
以下、本発明の二重ガラス容器とその製造方法の実施例を図面を用いて詳細に説明すると、図１は本発明の二重ガラス容器と従来の二重ガラス容器とを比較する側面図であり、図２は本発明の二重ガラス容器の徳利型容器の実施例の側面図であり、図３は本発明の二重ガラス容器の使用状態の側面図であり、図４は本発明の二重ガラス容器の実施例でチューリップ型容器の側面図と外観図であり、図５．図６．図７．図８は本発明の二重ガラス容器の製造方法の徳利型の実施例を説明する説明図であり、図９．図１０．図１１．図１２は本発明の二重ガラス容器の急須型容器の実施例を説明する説明図であり、図１３．図１４．図１５．図１６は本発明の二重ガラス容器の他の急須型容器の実施例を説明する説明図であり、図１７．図１８．図１９．図２０は本発明の二重ガラス容器の他の徳利型容器の次実施例を説明する説明図である。
【０００９】
本発明は、二重ガラス容器とその製造方法に関するものであり、更に詳細には、手で把持する胴周は二重に成っており熱が伝わりにくく、開口部の一定巾は一重に成っており薄くて飲料等を飲みやすく、且つ、内容物の温度は唇が接触することにより敏感に解る二重ガラス容器とその製造方法に関するものであり、請求項１に記載の二重ガラス容器は、夫々上方に開口部２ａ．３ａを有した外側ガラス容器２と内側ガラス容器３とを備え、前記外側ガラス容器２に前記内側ガラス容器３を内装した二重ガラス容器１であって、前記外側ガラス容器２の開口部２ａから下方への一定巾の開口縁部２ｂを前記内側ガラス容器３の開口部３ａより突出させて、前記開口縁部２ｂの下端に前記内側ガラス容器３の開口部３ａの外周端を溶着して胴部１ａと底部１ｂとを二重としたことを特徴とするものである。
【００１０】
更に、請求項２に記載の二重ガラス容器の製造方法は、請求項１に記載の二重ガラス容器において、夫々上方に開口部２ａ．３ａを有した外側ガラス容器２と内側ガラス容器３とを備える工程と、前記内側ガラス容器３の中に留め具付きサポーター４を挿通させ吊り上げ状態で固定する工程と、前記外側ガラス容器２と前記内側ガラス容器３との間に隙間を有して内装する工程と、前記外側ガラス容器２の開口部２ａから下方への一定巾の開口縁部２ｂを設けた下方辺を加熱する工程と、前記加熱する工程で加熱した部位を回転ローラー又は回転型５を当接させて絞る工程と、該絞る工程により絞った前記外側ガラス容器２の内側と前記内側ガラス容器３の開口部３ａの外周端を溶着する工程と、を含むことを特徴とするものである。
【００１１】
更には、請求項３に記載の二重ガラス容器の製造方法は、請求項１に記載の二重ガラス容器において、上方に開口部２ａを有した外側ガラス容器２と上方に開口部３ａを形成する切断脆弱部Ｃを介して支え部３ｄを延設した内側ガラス容器３とを備える工程と、前記内側ガラス容器３の支え部３ｄをチャック８により支えた状態で固定する工程と、前記外側ガラス容器２と前記内側ガラス容器３との間に隙間を有して内装する工程と、前記外側ガラス容器２の開口部２ａから一定巾の開口縁部２ｂを設けた下方辺を加熱する工程と、前記加熱する工程で加熱した部位を回転ローラー又は回転型５を当接させて絞る工程と、前記内側ガラス容器３の切断脆弱部Ｃを切断して上方に開口部３ａを形成する工程と、該絞る工程により絞った前記外側ガラス容器２の内側と前記内側ガラス容器３の開口部３ａの外周端を溶着する工程と、を含むものである。
【００１２】
更に、請求項４に記載の二重ガラス容器は、夫々上方に開口部を有した外側ガラス容器２と内側ガラス容器３とを備え、前記外側ガラス容器２に前記内側ガラス容器３を内装した二重ガラス容器１であって、前記内側ガラス容器３の開口部３ａから下方への一定巾の開口縁部３ｂを前記外側ガラス容器２の開口部２ａより突出させて、前記開口縁部３ｂの下端に前記外側ガラス容器２の開口部２ａの内周端を溶着して胴部１ａと底部１ｂとを二重としたことを特徴とするものである。
【００１３】
加えて、請求項５に記載の二重ガラス容器の製造方法は、請求項４に記載の二重ガラス容器において、夫々上方に開口部２ａ．３ａを有した外側ガラス容器２と内側ガラス容器３とを備える工程と、前記内側ガラス容器３の中に留め具付きサポーター４を挿通させ支えた状態で固定する工程と、前記外側ガラス容器２と前記内側ガラス容器３との間に隙間を有して内装する工程と、前記内側ガラス容器３の開口部３ａから一定巾の開口縁部３ｂを設けた下方辺に前記外側ガラス容器２の開口部２ａを位置させて加熱する工程と、前記加熱する工程で加熱した部位を回転ローラー又は回転型４を当接させて絞る工程と、該絞る工程により絞った前記外側ガラス容器２の開口部２ａの内周端と前記内側ガラス容器３の外側を溶着する工程と、を含むことを特徴とするものである。
【実施例】
【００１４】
即ち、本発明の二重ガラス容器の実施例では、外側ガラス容器２と内側ガラス容器３とは、夫々上方に開口部２ａ．３ａを有した透明又は不透明のガラス製のものであり、外側ガラス容器２に内側ガラス容器３を内装している二重ガラス容器１である。
【００１５】
そして、外側ガラス容器２の開口部２ａから下方への一定巾の開口縁部２ｂを内側ガラス容器３の開口部３ａより突出させて、開口縁部２ｂの下端に内側ガラス容器３の開口部３ａの外周端を溶着して胴部１ａと底部１ｂとを二重としたものである。
【００１６】
つまり、図１（ａ）で図示するものは、従来例のもので外側ガラス容器と内側ガラス容器との開口部の上端周を溶着したもので分厚い開口部を有するものであり、本発明の二重ガラス容器１は図１（ｂ）に図示するように、開口部２ａに一重とした一定巾の開口縁部２ｂを備えているものであり、極薄の開口部２ａとなっているものである。
【００１７】
次に、図２に図示する本発明の二重ガラス容器は、ワインを入れるデキャンタやお酒を入れるための徳利型の容器に実施した二重ガラス容器１で、下方が拡径された胴部１ａを有しており、内容物を沢山収容することができ、重心が下方に位置して安定しており、開口部２ａ．３ａが小径であり温かいものは冷めにくく、冷たいものは温まりにくいもので、お酒を収容した場合、香りやアルコールが逃げにくいものである。
【００１８】
次いで、図３に図示する本発明の二重ガラス容器は、使用状態を示すもので、唇Ａが外側ガラス容器２の一重となっている一定巾の開口縁部２ｂの開口部２ａの外側に当接させており、内容物の温度は一重となった開口縁部２ｂを伝わって来るため直ぐに唇Ａまで伝わり熱いか、冷たいか直感的に知ることができるものである。
【００１９】
更に、図４に図示する本発明の二重ガラス容器は、上方が開口した下方が略球状に形成したもので、ワイン等を入れるグラスとして用いて良好なもので、温度は胴部１ａ及び底部２ｂの二重壁によりある程度一定に保たれると共に香りも保ちやすいものである。
【００２０】
また、本発明の二重ガラス容器の次実施例として、二重ガラス容器１であって、内側ガラス容器３の開口部３ａから下方への一定巾の開口縁部３ｂを外側ガラス容器２の開口部２ａより突出させて、開口縁部３ｂの下端に外側ガラス容器２の開口部２ａの内周端を溶着して胴部１ａと底部１ｂとを二重としたものであり、つまり、外側ガラス容器２の開口部２ａに内側ガラス容器３の一定巾の開口縁部３ｂを突出させたもので、他は実施例と同様であるので詳述は省略する。
【００２１】
そして、図５．図６．図７．図８に図示するものは、本発明の二重ガラス容器の製造方法の徳利型の実施例を説明する説明図であり、図５は備える工程であって、夫々上方に開口部２ａ．３ａを有した外側ガラス容器２と内側ガラス容器３とを備えた状態である。
【００２２】
次いで、図６に図示するものは、支えた状態で固定する工程を表しており、内側ガラス容器３の開口部３ａに挿通できる棒状のサポータ４ａと、該サポータ４ａの外周に複数の留め具４ｂを放射状に膨出させて内側ガラス容器３の内側から固定する留め具付きサポータ４であり、留め具４ｂは複数の板状のスプリングを放射状に膨出させており、更に、内装する工程では内側ガラス容器３を外側ガラス容器２との間に隙間を有して内装するものである。
【００２３】
更には、加熱する工程では、外側ガラス容器２の開口部２ａから下方への一定巾の開口縁部２ｂを設けた下方辺をバーナー６等の加熱手段により加熱するもので、次に、絞る工程では、加熱する工程で加熱した部位を回転ローラー又は回転型５を当接させて隙間が無くなるまで絞るものである。
【００２４】
更に、溶着する工程では、図７に図示するように、絞る工程により隙間が無くなるまで絞った外側ガラス容器２の内側と内側ガラス容器３の開口部３ａの外周端とをバーナー又はトーチ７を外側ガラス容器２の開口部２ａとサポータ４ａの間を上方から挿入して溶着するものである。
【００２５】
そうして、図８に図示するような本発明の二重ガラス容器を製造するもので、模様、着色等の印刷Ｂは任意のものであり、適宜実施するものである。
【００２６】
また、図９．図１０．図１１．図１２に図示する二重ガラス容器の製造方法の次実施例では、急須型の二重ガラス容器１であり、内側ガラス容器３に注ぎ口３ｃを備えたもので、外側ガラス容器２の開口部２ａより内側ガラス容器３の開口部３ａの一定巾の開口縁部２ｂが注ぎ口３ｃと共に上方に突出してるものであり、他の工程の詳述は前述と同様であるので省略する。
【００２７】
更には、図１３．図１４．図１５．図１６に図示する二重ガラス容器の製造方法の実施例では、前述と同様な急須型の二重ガラス容器１であるが、この場合、外側ガラス容器２に注ぎ口２ｃを備えたもので、内側ガラス容器３の開口部３ａより外側ガラス容器２の開口部２ａの一定巾の開口縁部２ｂが注ぎ口２ｃと共に上方に突出してるもので、尚、注ぎ口２ｃは最終工程で取り付けたものであり、他の工程の詳述は前述と同様であるので省略する。
【００２８】
そして、図１７．図１８．図１９．図２０に図示する二重ガラス容器の製造方法の次実施例では、前述と同様な徳利型の二重ガラス容器１であり、備える工程では、外側ガラス容器２は上方に開口部２ａを有した前述と同じものであるが、内側ガラス容器３は上方に後に切断して開口部３ａを形成するための切断脆弱部Ｃを介して外側ガラス容器２の開口部２ａの上方に突出する支え部３ｄを延設しているものである。
【００２９】
次に、固定する工程とでは、内側ガラス容器３の支え部３ｄをチャック８により胴周を挟持するようにして支えた状態で固定するものである。
【００３０】
次いで、内装する工程と、加熱する工程と、絞る工程とは前述と同じであるので詳述は省略する。
【００３１】
更に、開口部を形成する工程では、内側ガラス容器３の切断脆弱部Ｃを切断して開口部３ａを形成するもので、木槌９等により支え部３ｄに衝撃を与えたり、支え部３ｄに衝撃的な回転を加えることにより予め脆弱に形成された切断脆弱部Ｃを切断して開口部３ａを形成するものであり、この場合、外側ガラス容器２の内側と内側ガラス容器３の開口部３ａの外周端を溶着又は接着等の手段により仮止めしているものである。
【００３２】
更には、溶着する工程では、前述と同様に、絞る工程により絞った外側ガラス容器２の内側と仮止めをした内側ガラス容器３の開口部３ａの外周端を溶着するものである。
【産業上の利用可能性】
【００３３】
本発明の二重ガラス容器とその製造方法は、外側ガラス容器又は内側ガラス容器の開口部に一定巾の開口縁部を形成し、胴部と底部とを二重としたものであり、内容物を注ぐと胴部と底部とは空気層の断熱層が熱を通しにくく、二重ガラス容器は把持したときは熱が伝わりにくく安全で、且つ、熱いものはいつまでも熱く、冷たいものはいつまでも冷たいものであり、加えて、一重とした開口縁部を形成しているため飲みやすく、更には、内容物の温度も容易に知ることができるもので、更に、注ぎ口を付けた二重ガラス容器を提供するものである。
【図面の簡単な説明】
【００３４】
【図１】図１は本発明の二重ガラス容器と従来の二重ガラス容器とを比較する側面図である。
【図２】図２は本発明の二重ガラス容器の徳利型容器の実施例の側面図である。
【図３】図３は本発明の二重ガラス容器の使用状態の側面図である。
【図４】図４は本発明の二重ガラス容器の実施例で略球面状型容器の側面図と外観図である。
【図５】図５は本発明の二重ガラス容器の製造方法の徳利型の実施例を説明する説明図である。
【図６】図６は本発明の二重ガラス容器の製造方法の徳利型の実施例を説明する説明図である。
【図７】図７は本発明の二重ガラス容器の製造方法の徳利型の実施例を説明する説明図である。
【図８】図８は本発明の二重ガラス容器の製造方法の徳利型の実施例を説明する説明図である。
【図９】図９は本発明の二重ガラス容器の急須型容器の実施例を説明する説明図である。
【図１０】図１０は本発明の二重ガラス容器の急須型容器の実施例を説明する説明図である。
【図１１】図１１は本発明の二重ガラス容器の急須型容器の実施例を説明する説明図である。
【図１２】図１２は本発明の二重ガラス容器の急須型容器の実施例を説明する説明図である。
【図１３】図１３は本発明の二重ガラス容器の他の急須型容器の実施例を説明する説明図である。
【図１４】図１４は本発明の二重ガラス容器の他の急須型容器の実施例を説明する説明図である。
【図１５】図１５は本発明の二重ガラス容器の他の急須型容器の実施例を説明する説明図である。
【図１６】図１６は本発明の二重ガラス容器の他の急須型容器の実施例を説明する説明図である。
【図１７】図１７は本発明の二重ガラス容器の製造方法の徳利型の次実施例を説明する説明図である。
【図１８】図１８は本発明の二重ガラス容器の製造方法の徳利型の次実施例を説明する説明図である。
【図１９】図１９は本発明の二重ガラス容器の製造方法の徳利型の次実施例を説明する説明図である。
【図２０】図２０は本発明の二重ガラス容器の製造方法の徳利型の次実施例を説明する説明図である。
【符号の説明】
【００３５】
１      二重ガラス容器
１ａ    胴部
１ｂ    底部
２      外側ガラス容器
２ａ    開口部
２ｂ    開口縁部
２ｃ    注ぎ口
３      内側ガラス容器
３ａ    開口部
３ｂ    開口縁部
３ｃ    注ぎ口
３ｄ    支え部
４      留め具付きサポーター
４ａ    サポータ
４ｂ    留め具
５      回転ローラー又は回転型
６      加熱手段
７      バーナー又はトーチ
８      チャック
９      木槌
Ａ      唇
Ｂ      印刷
Ｃ      切断脆弱部
【図１】
2009137607.tif 000003
【図２】
2009137607.tif 000004
【図３】
2009137607.tif 000005
【図４】
2009137607.tif 000006
【図５】
2009137607.tif 000007
【図６】
2009137607.tif 000008
【図７】
2009137607.tif 000009
【図８】
2009137607.tif 000010
【図９】
2009137607.tif 000011
【図１０】
2009137607.tif 000012
【図１１】
2009137607.tif 000013
【図１２】
2009137607.tif 000014
【図１３】
2009137607.tif 000015
【図１４】
2009137607.tif 000016
【図１５】
2009137607.tif 000017
【図１６】
2009137607.tif 000018
【図１７】
2009137607.tif 000019
【図１８】
2009137607.tif 000020
【図１９】
2009137607.tif 000021
【図２０】
2009137607.tif 000022